(57)【要約】【課題】手動操作のみによって軽快に操作する。【解決手段】戸枠１０に組み込む吊戸形式の引戸２０に対し、操作ハンドル３１を介して一斉に昇降させる第１の係合部材としてのカムローラ３２、３２…を搭載し、カムローラ３２、３２…を戸枠１０上の第２の係合部材としての板カム１７、１７…に係合させることにより、全閉位置の引戸２０を後方に平行移動させる。【選択図】図１
2008133711.tif 000002
【特許請求の範囲】
【請求項１】
戸枠と、該戸枠に組み込む吊戸形式の引戸とを備えてなり、該引戸には、後面側の四周に沿って電磁シールド用のガスケットを連続的に装着するとともに、戸先側、戸尻側の上部、下部に昇降可能に配置する第１の係合部材と、該第１の係合部材を一斉に昇降させる操作ハンドルとを搭載し、前記戸枠には、前記引戸を全閉位置にするとき、前記第１の係合部材が個別に対応する第２の係合部材を配置し、前記引戸は、全閉位置において前記操作ハンドルを介して前記第１の係合部材を前記第２の係合部材に係合させることにより後方に平行移動し、前記ガスケットの全長を開口部の四周の係合リブに押し付けて電磁シールドを完成させることを特徴とする引戸式の電磁シールド扉。
【請求項２】
前記引戸は、ばねを介して前方側に付勢することを特徴とする請求項１記載の引戸式の電磁シールド扉。
【請求項３】
前記引戸は、全閉位置において後方に平行移動することにより開放不能に拘束されることを特徴とする請求項１または請求項２記載の引戸式の電磁シールド扉。
【請求項４】
前記引戸は、全閉位置を除く全開閉ストロークにおいて前記第１の係合部材の昇降を禁止するロック部材を搭載することを特徴とする請求項１ないし請求項３のいずれか記載の引戸式の電磁シールド扉。
【請求項５】
前記引戸の戸先側の下端には、上下に屈曲可能なシャッタ部材を前後に相対移動可能に連結し、前記シャッタ部材は、前記戸枠の戸先側の竪枠内の収納部に上向きに屈曲させながら収納することを特徴とする請求項１ないし請求項４のいずれか記載の引戸式の電磁シールド扉。
【請求項６】
引戸の戸先側の下端に一端を連結する上下に屈曲可能なシャッタ部材と、前記引戸用の戸枠の戸先側に形成し、前記シャッタ部材を上向きに屈曲させながら収納する収納部と、該収納部の上部のガイドプーリに掛けるワイヤを介して前記シャッタ部材の先端に連結するウェイトとを備えてなり、前記シャッタ部材は、前記引戸を閉鎖方向に駆動すると、前記ウェイトを介して前記収納部に引き込まれ、前記引戸を開放方向に駆動すると、前記収納部から引き出されて前記引戸の下方の床側の溝を閉じることを特徴とする引戸用の床シャッタ装置。
【発明の詳細な説明】
【技術分野】
【０００１】
この発明は、電波暗室や、電磁波を発生する医療用のＭＲＩ装置用の電磁シールドルームなどに使用する引戸式の電磁シールド扉と、それに適用可能な引戸用の床シャッタ装置に関する。
【背景技術】
【０００２】
電波暗室や電磁シールドルームなどの出入口に設置する引戸式の電磁シールド扉が提案されている（特許文献１）。
【０００３】
このものは、吊戸形式の引戸を戸枠に組み込み、引戸の後面側に電磁波の吸収体を貼着するとともに、全閉位置の引戸の四周に対応するようにして、戸枠の上枠、下枠、左右の竪枠内にカム軸を配置している。各カム軸には、複数の板カムが等間隔に、かつ同一角度に付設されており、各カム軸は、個別の駆動源を介して回転駆動することができる。そこで、引戸を全閉位置にしてすべてのカム軸を回転させると、引戸は、各カム軸上の板カムを介して戸枠に押し付けられ、後面側の吸収体を介して電磁シールドを完成させることができる。なお、吊戸形式の引戸は、左右に開閉するから、ヒンジ式の扉と異なり、開閉用のデッドスペースを生じないという利点がある。
【特許文献１】特開平６−３３６６９号公報
【発明の開示】
【発明が解決しようとする課題】
【０００４】
かかる従来技術によるときは、全閉位置の引戸は、戸枠に組み込む四周のカム軸上の板カムを介して戸枠に押し付けるから、各カム軸を回転駆動する駆動源を戸枠内に設ける必要があり、戸枠が不必要に分厚くなる上、駆動源に対する電気配線が煩雑であり、地震災害などの際に停電すると開放不能になるという問題があった。また、戸枠の下枠には、引戸の下部を収納してガイドする溝が形成されているから、引戸を開くと、上向きに開口する溝が床側に露出し、台車などの通行の妨げになるという問題もあった。なお、床側の溝を閉じるために昇降式の踏板や中間屈曲式のシャッタなどを設けるとすれば、引戸を閉じる際にこれらを収納する大きな収納空間を床に設ける必要がある上、複雑な収納機構が不可欠である。
【０００５】
そこで、この発明の目的は、かかる従来技術の問題に鑑み、引戸に搭載する第１の係合部材と、戸枠側の第２の係合部材とを組み合わせることによって、戸枠を必要最小に薄くするとともに、手動操作のみによって軽快に操作することができる引戸式の電磁シールド扉と、引戸を開いても、床側の溝を有効に閉じることができる引戸用の床シャッタ装置とを提供することにある。
【課題を解決するための手段】
【０００６】
かかる目的を達成するためのこの出願に係る第１発明（請求項１に係る発明をいう、以下同じ）の構成は、戸枠と、戸枠に組み込む吊戸形式の引戸とを備えてなり、引戸には、後面側の四周に沿って電磁シールド用のガスケットを連続的に装着するとともに、戸先側、戸尻側の上部、下部に昇降可能に配置する第１の係合部材と、第１の係合部材を一斉に昇降させる操作ハンドルとを搭載し、戸枠には、引戸を全閉位置にするとき、第１の係合部材が個別に対応する第２の係合部材を配置し、引戸は、全閉位置において操作ハンドルを介して第１の係合部材を第２の係合部材に係合させることにより後方に平行移動し、ガスケットの全長を開口部の四周の係合リブに押し付けて電磁シールドを完成させることをその要旨とする。
【０００７】
なお、引戸は、ばねを介して前方側に付勢してもよく、全閉位置において後方に平行移動することにより開放不能に拘束してもよく、全閉位置を除く全開閉ストロークにおいて第１の係合部材の昇降を禁止するロック部材を搭載してもよい。
【０００８】
また、引戸の戸先側の下端には、上下に屈曲可能なシャッタ部材を前後に相対移動可能に連結し、シャッタ部材は、戸枠の戸先側の竪枠内の収納部に上向きに屈曲させながら収納することができる。
【０００９】
第２発明（請求項６に係る発明をいう、以下同じ）の構成は、引戸の戸先側の下端に一端を連結する上下に屈曲可能なシャッタ部材と、引戸用の戸枠の戸先側に形成し、シャッタ部材を上向きに屈曲させながら収納する収納部と、収納部の上部のガイドプーリに掛けるワイヤを介してシャッタ部材の先端に連結するウェイトとを備えてなり、シャッタ部材は、引戸を閉鎖方向に駆動すると、ウェイトを介して収納部に引き込まれ、引戸を開放方向に駆動すると、収納部から引き出されて引戸の下方の床側の溝を閉じることをその要旨とする。
【発明の効果】
【００１０】
かかる第１発明の構成によるときは、全閉位置の引戸は、操作ハンドルを介して第１の係合部材を駆動し、各第１の係合部材を戸枠側の第２の係合部材に個別に係合させることにより後方に平行移動させ、後面側のガスケットを介して電磁シールドを完成させることができる。なお、操作ハンドルは、たとえば引戸の戸先側に設置し、引戸の両面に突出するレバーハンドルとして、たとえば上向きに起立させると第１の係合部材と第２の係合部材との係合が外れ、戸先側に倒すように９０°回転させると、第１の係合部材が第２の係合部材と係合して引戸を後方側に平行移動させるように構成することが好ましい。また、このような操作ハンドルは、上向きに起立させた上、引戸の開閉操作用に兼用することができる。
【００１１】
引戸側の第１の係合部材は、たとえばカムローラとし、戸枠側の第２の係合部材は、カムローラが係合する板カムとすることができる。また、前者を板カムとし、後者をカムローラとしてもよく、さらに、互いに斜面を介して摺動係合する楔形または台形の係合部材として両者を構成することも可能である。また、引戸側の第１の係合部材は、戸枠側の第２の係合部材に係合させるために、操作ハンドルを介して一斉に上向きに上昇させてもよく、一斉に下降させてもよく、さらには、戸先側、戸尻側の上部の一対と下部の一対とを互いに逆方向に駆動してもよい。ただし、いずれの場合にも、戸枠側の第２の係合部材は、対応する各第１の係合部材の駆動方向に合わせて、第１の係合部材と正しく係合するように、設置方向を適切に設定するものとする。
【００１２】
引戸の後面側の四周に沿って装着する電磁シールド用のガスケットは、たとえば軟質のゴム材または合成樹脂材のコア材をベリリウム銅合金線などの編組体によって包み込む、いわゆるワイヤメッシュガスケットが好適である。この種のガスケットは、開口部の四周の係合リブに押し付けて弾性変形させることにより、引戸を平行移動させて電磁シールドを完成させる際に必要な押圧力を小さくすることができ、操作ハンドルに加える操作力を小さくして軽快に弾性変形させることができる。なお、開口部の四周の係合リブは、戸枠側に形成してもよく、戸枠を組み付ける電磁シールドルームなどのシールドパネルに形成してもよい。
【００１３】
引戸は、全閉位置を除く全開閉ストロークに亘って下端を振れ止めすることにより、開閉移動中に前後に振れるおそれがなく、安定に開閉させることができる。なお、引戸は、たとえば引戸の下部に下向きに装着するガイドレールに対し、戸枠側に設けるガイドローラを係合させればよく、このようなガイドレールは、引戸の全閉位置においてガイドローラに対応する切欠きを設け、全閉位置の引戸を後方に平行移動させると、引戸を開放不能に拘束することができる。ただし、ガイドレール、ガイドローラは、それぞれ戸枠側、引戸側に設けてもよく、ガイドローラは、ガイドピンに代えてもよい。
【００１４】
引戸は、ばねを介して前方側に付勢することにより、操作ハンドルを介して第１の係合部材を駆動し、第１の係合部材を第２の係合部材との係合状態から解放するだけで、自動的に前方に平行移動し、ガスケットによる電磁シールドを破壊することができる。なお、引戸を付勢するばねは、たとえば引戸を吊下する開閉用の各吊り部材に内蔵して引戸の上部を前方側に付勢する他、戸枠のくつずりに摺接する摺動部材を引戸の下端に設け、摺動部材を押圧付勢するばねを利用して引戸の下部を前方側に付勢することができる。
【００１５】
引戸は、全閉位置において後方に平行移動すると、開放不能に拘束することにより、引戸の後面側のガスケットを不用意に損傷するおそれがない。なお、このようにして引戸を拘束するには、引戸側、戸枠側に互いに係合する係合部材を設け、全閉位置の引戸を後方に平行移動したときにのみ、これらの係合部材が係合するように構成すればよく、各係合部材の形態は、任意に変更可能である。たとえば、引戸側、戸枠側の一方に突設する係合部材を他方に形成する係合孔または係合凹部に係合させる他、引戸側、戸枠側の一方にガイドローラを設け、ガイドローラ用のガイドレールを他方に設け、全閉位置の引戸を後方に平行移動させると、ガイドローラがガイドレールと交差する位置に相対移動して引戸を開放不能に拘束する形式であってもよい。
【００１６】
引戸は、全閉位置を除く全開閉ストロークに亘って第１の係合部材の昇降を禁止するロック部材を搭載することにより、操作ハンドルを支障なく引戸の開閉操作に兼用することができる。操作ハンドルは、第１の係合部材の昇降が禁止されると、たとえば上向きの起立状態に回転不能にロックされるからである。ただし、第１の係合部材は、引戸の全閉位置において、ロック部材による昇降禁止状態が自動的に解除され、操作ハンドルによる昇降操作が許容され、任意に昇降可能になるものとする。
【００１７】
引戸の戸先側の下端に連結するシャッタ部材は、引戸を開放方向に駆動すると、戸先側の竪枠内の収納部から引き出され、開口部の下枠に形成される床側の溝を閉じることにより、開口部を通行する台車等を円滑に走行させることができる。ただし、このとき、下枠の上面は、床と同一レベルに形成するものとする。また、シャッタ部材は、複雑な収納機構が不要であり、床側に大きな収納空間を設ける必要がないため、設置工事が簡便であり、たとえば建築物の２階以上の階に設置する場合であっても、床厚さの不足の問題を生じるおそれがない。
【００１８】
第２発明の構成によるときは、引戸の戸先側に一端を連結するシャッタ部材は、引戸を閉鎖方向に駆動すると、ウェイトを介して収納部に引き込まれ、収納部内に上向きに立ち上がるようにして収納される。そこで、戸枠の戸先側の床上に長い収納部を水平に設けたり、引戸によって開閉する開口部の床側に深い収納部を設けたりする必要がなく、全体としての設置工事を容易にすることができる。また、シャッタ部材は、引戸を開放方向に駆動すると、収納部から引き出されて床側の溝を閉じ、開口部を通る台車等の通行を円滑にすることができる。なお、ここでいう引戸は、吊戸形式であってもよく、一般的な戸車形式または滑り形式であってもよい。後者の場合、シャッタ部材は、床側の溝としての戸車用のガイド溝や、敷居溝などを床面と同一レベルに閉じるように構成すればよい。
【００１９】
シャッタ部材は、上下に屈曲可能な長い帯状の部材であって、両側端部を床側の溝の両側に掛けて支持することにより、上面を横切るようにして通過する台車等の重量に耐える強度を有するものとする。このようなシャッタ部材は、例えばスラットチェーン形に構成してもよく、可撓性のベルトの幅方向に多数のロッド状の補強材を埋設してもよく、さらには、すだれ状に配列する多数のロッド状の補強材の上面にゴム材やプラスチック材などの弾性材のシートを付設して構成してもよい。なお、このようなシャッタ部材は、第１発明のシャッタ部材としても使用可能であり、第１発明のシャッタ部材と同等の作用効果を奏する。
【発明を実施するための最良の形態】
【００２０】
以下、図面を以って発明の実施の形態を説明する。
【００２１】
引戸式の電磁シールド扉は、戸枠１０に対し、吊戸形式の引戸２０を組み込んでなる（図１、図２）。ただし、引戸２０は、図示しない電磁シールドルームなどの開口部Ａを開閉する引戸であって、図２のように開口部Ａを全閉に閉じる全閉位置において、後方に平行移動させることにより、良好な電磁シールドを完成することができる。なお、以下の説明において、図１、図２の紙面に垂直な手前側を前といい、逆側を後というものとする。
【００２２】
戸枠１０は、上枠１１と、戸先側、戸尻側の竪枠１２、１３と、開口部Ａに対応する下枠１４と、引戸２０の前面側に立設する中柱１５とを有する。ただし、開口部Ａと戸尻側の竪枠１３との間には、電磁シールドルームなどを構成するシールドパネルＢが露出しており、上枠１１、竪枠１２、１３、下枠１４は、それぞれシールドパネルＢの表面に対して電気的に一体に連結されているものとする。上枠１１には、引戸２０の開閉用のハンガレール１６がブラケット１６ａを介して設置されており、下枠１４には、くつずり１４ａが形成されている。また、戸先側の竪枠１２の上部、下部、中柱１５の上部、下部には、それぞれ第２の係合部材としての板カム１７が後向きに付設されている。
【００２３】
引戸２０は、戸先側、戸尻側の吊り部材２１、２１を介し、ハンガレール１６から開閉自在に吊り下げられている。引戸２０の戸先側には、回転形のレバーハンドルとしての操作ハンドル３１が装着されており、引戸２０の戸先側、戸尻側の各上部、下部には、それぞれ戸枠１０側の各板カム１７に対応する第１の係合部材としてのカムローラ３２、３２…が配設されている。なお、操作ハンドル３１は、引戸２０の前面側、後面側に対称的に突出しているものとし、カムローラ３２、３２…は、それぞれ対応する板カム１７の後方に位置するようにして、引戸２０の戸先側、戸尻側にそれぞれ上下一対が突出している。引戸２０の戸先側には、ロックピン３４が上向きに突設されており、上枠１１の戸先側には、全閉位置の引戸２０上のロックピン３４に対応するようにして、ドッグ１８がブラケット１８ａを介して装着されている。
【００２４】
引戸２０の上端面の戸先側、戸尻側には、それぞれ吊り部材２１とともにガイドローラ２２が上向きに装着されており、上枠１１には、ガイドローラ２２、２２に対応するガイドレール２２ａが配設されている。ガイドレール２２ａの戸先側は、引戸２０を全閉位置にするとき、戸先側のガイドローラ２２から外れる長さに設定され、戸尻側は、十分長く延長されている。また、ガイドレール２２ａの途中には、引戸２０を全閉位置にするとき、戸尻側のガイドローラ２２に対応する切欠き２２ｂが形成されている。一方、中柱１５の下端には、別のガイドローラ２３が付設されている。引戸２０の下端には、ガイドローラ２３を収納するガイドレール２３ａが付設されており、ガイドレール２３ａの戸尻側には、引戸２０を全閉位置にするとき、ガイドローラ２３に対応する切欠き２３ｂが形成されている。また、引戸２０の下端には、くつずり１４ａに摺接する摺動部材２４、２４が付設されている。
【００２５】
上枠１１は、導電性の連結材Ｃを介してシールドパネルＢに連結されている（図３）。また、各吊り部材２１は、ハンガレール１６に係合して転動する走行ローラ２１ａと、ハンガレール１６に直交するスライド軸２１ｂと、スライド軸２１ｂを摺動自在に貫通させる吊りブラケット２１ｃとを主要部材として構成されている。
【００２６】
吊りブラケット２１ｃは、引戸２０の上端に連結されており、スライド軸２１ｂには、吊りブラケット２１ｃを介して引戸２０を前方側に付勢するばね２１ｄが装着されている。なお、走行ローラ２１ａ用のブラケット２１ｅ、スライド軸２１ｂ用のブラケット２１ｆは、上下に連結されており、吊りブラケット２１ｃ、引戸２０の間には、スペーサ２１ｇが介装されている。また、スライド軸２１ｂ上において、吊りブラケット２１ｃは、ブラケット２１ｆに着脱自在にねじ止めするスペーサ２１ｈを介して位置決めされている。ただし、スペーサ２１ｈは、スライド軸２１ｂと平行にブラケット２１ｆにねじ込んで吊りブラケット２１ｃを位置決めする調節ボルトに代えてもよい。引戸２０の上端面の各ガイドローラ２２は、吊り部材２１の吊りブラケット２１ｃ上に立設され、引戸２０を開閉するとき、上枠１１側のガイドレール２２ａの前面に接しながら転動することができる。
【００２７】
引戸２０の後面側には、四周に沿って電磁シールド用のガスケット２５が装着されている。ガスケット２５は、引戸２０に形成する装着溝２５ａに収納され、引戸２０の後面側に露出している。また、開口部Ａの四周には、引戸２０を全閉位置にするとき、引戸２０側のガスケット２５の全長に対向するようにして、シールドパネルＢに形成する係合リブ１９が連続して形成されている。ただし、図３には、引戸２０の上端部のガスケット２５と、それに対応する係合リブ１９のみが図示されている。
【００２８】
引戸２０の戸先側、戸尻側には、それぞれ上下のカムローラ３２、３２用の昇降部材３３が昇降自在に配置されている（図４、図５）。ただし、図５には、戸先側の昇降部材３３のみが図示されている。
【００２９】
昇降部材３３、３３は、それぞれチャンネル状に形成され、互いに背向させるようにして引戸２０の戸先側、戸尻側に上下に平行に配置されている。各昇降部材３３の中間部には、スペーサ３３ｂを介してスライドレール３３ａが装着されており、スライドレール３３ａには、ブラケット３３ｄを介して引戸２０側に固定するスライダ３３ｃが摺動自在に組み合わされている。一方、各昇降部材３３には、ラック３３ｅが付設されており、ラック３３ｅ、３３ｅは、操作ハンドル３１、３１用の軸３１ａに付設するギヤ３１ｂ、スプロケット３１ｃ、３１ｃ間に巻き掛けるチェーン３１ｄ、引戸２０の戸尻側のギヤ３１ｅ、３１ｅを介して機械的に連結されている。
【００３０】
操作ハンドル３１、３１用の軸３１ａは、図示しない軸受を介して引戸２０を前後に貫通しており、スプロケット３１ｃ、３１ｃは、それぞれギヤ３１ｂ、３１ｅに付設されている。また、ギヤ３１ｂ、３１ｅ、３１ｅは、すべて等しい歯数であり、スプロケット３１ｃ、３１ｃも同様である。そこで、引戸２０の前面側または後面側から操作ハンドル３１を正逆に回転させると、昇降部材３３、３３を一斉に昇降させることができる。なお、各昇降部材３３の昇降ストロークは、ブラケット３３ｇを介して各ラック３３ｅの上下に配置する下向き、上向きのクッション材付きのストッパボルト３３ｆ、３３ｆによって規制されている。
【００３１】
引戸２０の戸先側のカムローラ３２、３２は、戸先側の昇降部材３３の上端部、下端部に装着されている（図５、図６）。そこで、カムローラ３２、３２は、昇降部材３３を介して昇降可能である。ただし、図５、図６には、上のカムローラ３２のみが代表的に図示されている。
【００３２】
カムローラ３２は、ローラブロック３２ａに装着されており、ローラブロック３２ａは、カラー３２ｂ、３２ｂを介して昇降部材３３にねじ止めされている。また、ローラブロック３２ａに付設するスライダ３２ｃは、補強板３２ｅを介して引戸２０に固定するスライドレール３２ｄに摺動自在に組み合わされている。各カムローラ３２に対応する戸枠１０側の板カム１７は、上部が深く、下部が滑らかに浅くなるカム溝１７ａを有し（図３、図５）、導電性の連結材Ｃを介してシールドパネルＢに連結する戸先側の竪枠１２に取り付けられている。そこで、各カムローラ３２は、昇降部材３３が上昇限にあるとき、対応する板カム１７のカム溝１７ａの上部の最深部に対応し、カム溝１７ａと係合することがない。
【００３３】
引戸２０の戸先側上端のロックピン３４には、ベルクランク形の揺動片３５を介して、上昇限の昇降部材３３の下降を禁止するロック部材３６が連結されている（図６）。ロックピン３４は、ブラケット３４ａを介し、引戸２０に対して昇降自在に取り付けられており、ロックピン３４上のストッパワッシャ３４ｃと、ブラケット３４ａとの間に介装するばね３４ｂを介して上向きに付勢されている。ただし、ロックピン３４の昇降ストロークは、ロックピン３４の軸方向の切欠き３４ｄに係合するストッパプレート３４ｅを介して規制され、ストッパプレート３４ｅは、ブラケット３４ａの下面に付設されている。ロックピン３４の下端は、揺動片３５の一端に回転自在に連結され、揺動片３５は、ねじ付きのピン３５ａのまわりに回転自在である。また、揺動片３５の他端は、板状のロック部材３６の中間部に回転自在に連結され、ロック部材３６は、ブラケット３６ａを介して水平移動可能に保持されている。
【００３４】
そこで、ロックピン３４がフリーのとき（図６の実線）、ロック部材３６は、ばね３４ｂ、揺動片３５を介して昇降部材３３に向けて付勢され、昇降部材３３の背面の長孔３３ｈに進入して昇降部材３３に係合し、上昇限にある昇降部材３３の下降を禁止する。また、引戸２０を全閉位置にすると、ロックピン３４が上枠１１上のドッグ１８によって押し下げられ（図６の矢印Ｋ1 方向）、揺動片３５が同図の矢印Ｋ2 方向に回転するため、ロック部材３６は昇降部材３３から抜去され（同図の矢印Ｋ3 方向、二点鎖線）、昇降部材３３の下降を許容することができる。なお、このようにして戸先側の昇降部材３３の下降が禁止され、許容されると、操作ハンドル３１、３１の回転、戸尻側の昇降部材３３の下降も、同時に禁止され、許容される。昇降部材３３、３３、操作ハンドル３１、３１は、ラック３３ｅ、３３ｅ、ギヤ３１ｂ、３１ｅ、３１ｅ、チェーン３１ｄを介して機械的に連結されているからである。すなわち、ロック部材３６は、引戸２０の全閉位置を除く全開閉ストロークにおいて、昇降部材３３、３３の下降を禁止し、全閉位置においてのみ昇降部材３３、３３の下降を許容する。
【００３５】
引戸２０の戸尻側のカムローラ３２、３２は、戸尻側の昇降部材３３の上端部、下端部に装着されている（図７、図８）。そこで、カムローラ３２、３２は、昇降部材３３を介して昇降可能である。ただし、図７、図８には、上のカムローラ３２のみが代表的に図示されている。
【００３６】
戸尻側のカムローラ３２の装着形態は、ローラブロック３２ａの形状が異なる他、図３、図５の戸先側のカムローラ３２の装着形態と同様である。なお、戸尻側のカムローラ３２は、スペーサ１７ｃを介して中柱１５に装着する板カム１７に対し、戸先側のカムローラ３２、竪枠１２上の板カム１７と同様の相対位置関係に配置されている。また、図８の戸尻側の吊り部材２１、ガイドローラ２２も、図３の戸先側の吊り部材２１、ガイドローラ２２と同様に組み立てられている。中柱１５の上端は、ブラケット１５ａを介して上枠１１に連結されている。
【００３７】
中柱１５の下端のガイドローラ２３は、ブラケット２３ｃ、２３ｄを介して中柱１５に取り付けられている（図９、図１０）。また、ガイドローラ２３を収納する引戸２０側のガイドレール２３ａは、ブラケット２３ｅを介して引戸２０の下端に取り付けられており、ブラケット２３ｅ、ガイドレール２３ａには、共通のカバー２３ｆが掛けられている。ただし、ガイドレール２３ａの戸尻側の切欠き２３ｂは、カバー２３ｆにも共通に開口されているものとする。
【００３８】
引戸２０の下端の摺動部材２４、２４は、それぞれブラケット２４ａを介して引戸２０の下端に装着されている。ただし、図９、図１０には、戸尻側の摺動部材２４が図示されている。摺動部材２４は、摩擦係数が小さい耐摩耗性の合成樹脂材から形成されており、ブラケット２４ａ内において、スライドロッド２４ｂ、２４ｂ、ストッパプレート２４ｃを介して前後動自在に保持されている。摺動部材２４は、スライドロッド２４ｂ、２４ｂに装着するばね２４ｄ、２４ｄを介して下枠１４のくつずり１４ａに向けて付勢されており、摺動部材２４の先端面は、くつずり１４ａに摺接している。
【００３９】
引戸２０は、操作ハンドル３１、３１を上向きに起立させて戸先側、戸尻側の昇降部材３３、３３を上昇限に上昇させ、操作ハンドル３１、３１の一方を左右に引くことにより、引戸２０の前面側、後面側のいずれの側からでも、開口部Ａを任意の開度に開閉することができる（図１）。引戸２０は、吊り部材２１、２１を介して開閉自在に吊り下げられている上、全閉位置を除く全開閉ストロークにおいて、ロック部材３６を介して戸先側の昇降部材３３の下降が禁止され、昇降部材３３、３３が双方とも下降不能にロックされており、したがって、操作ハンドル３１、３１も回転不能にロックされているからである。
【００４０】
なお、開閉動作中の引戸２０は、吊り部材２１、２１に内蔵するばね２１ｄ、２１ｄ、摺動部材２４、２４を付勢するばね２４ｄ、２４ｄ…を介して前方側に付勢されており、吊り部材２１、２１に装着するスペーサ２１ｈ、２１ｈと、ガイドレール２２ａに沿って転動するガイドローラ２２、２２によって上部が前後方向に位置決めされている。また、引戸２０は、全閉位置を除く全開閉ストロークにおいて、ガイドレール２３ａに収納するガイドローラ２３によって下部が前後方向に位置決めされ、下端が振れ止めされている。戸先側、戸尻側のカムローラ３２、３２…は、それぞれ対応する板カム１７のカム溝１７ａの最深部に対応しており、板カム１７と干渉することがない。
【００４１】
引戸２０を全閉位置に閉じると（図２）、戸先側の昇降部材３３の上部、下部のカムローラ３２、３２は、それぞれ戸先側の竪枠１２の上部、下部の板カム１７、１７のカム溝１７ａの最深部に進入し、戸尻側の昇降部材３３の上部、下部のカムローラ３２、３２は、それぞれ中柱１５の上部、下部の板カム１７、１７のカム溝１７ａの最深部に進入する。また、このとき、引戸２０の上端のガイドローラ２２、２２は、それぞれガイドレール２２ａの戸先側の先端を越えた位置、中間の切欠き２２ｂの位置にあり、中柱１５の下端のガイドローラ２３は、ガイドレール２３ａの戸尻側の切欠き２３ｂに対応する位置にある。さらに、ドッグ１８によってロックピン３４が押し下げられ、ロック部材３６は、戸先側の昇降部材３３から外れ、昇降部材３３、３３の下降を許容する。
【００４２】
そこで、引戸２０の前面側または後面側から上向きの操作ハンドル３１を引戸２０の戸先側に倒すように９０°回転させると、昇降部材３３、３３が下降限にまで下降し、戸先側、戸尻側のカムローラ３２、３２…も一斉に下降する。下降中の各カムローラ３２は、対応する板カム１７のカム溝１７ａに係合し、ばね２１ｄ、２１ｄ、２４ｄ、２４ｄ…を圧縮しながら引戸２０を後方側に平行移動させ（図１１、図１２）、引戸２０の後面側の四周のガスケット２５の全長を開口部Ａの四周の係合リブ１９に押し付けて弾性変形させ、良好な電磁シールドを完成させる（図１１〜図１６）。なお、各カムローラ３２は、板カム１７のカム溝１７ａに係合すると、ローラブロック３２ａ、スライダ３２ｃ、スライドレール３２ｄ、補強板３２ｅを介し、引戸２０に必要十分な押圧力を加えることができる。
【００４３】
一方、このようにして引戸２０が後方側に平行移動すると、引戸２０の上端のガイドローラ２２、２２は、ガイドレール２２ａの戸先側の先端、途中の切欠き２３ｂを介してガイドレール２２ａと交差する位置にまで相対移動し（図１１、図１２）、中柱１５の下端のガイドローラ２３は、ガイドレール２３ａの切欠き２３ｂを介してガイドレール２３ａと交差する位置にまで相対移動する（図１５、図１６）。そこで、引戸２０は、ガイドローラ２２、２２、２３、ガイドレール２２ａ、２３ａを介し、開放不能に拘束することができる。
【００４４】
全閉位置の引戸２０上において、操作ハンドル３１を上向きに起立させると、昇降部材３３、３３が上昇し、戸先側、戸尻側の各カムローラ３２が板カム１７のカム溝１７ａとの係合を脱するため、ばね２１ｄ、２１ｄ、２４ｄ、２４ｄ…を介して引戸２０が前方側に平行移動し、元の開閉可能な位置に復帰する。そこで、操作ハンドル３１を引戸２０の開放方向に引けば、引戸２０は、そのまま滑らかに開放することができる。また、引戸２０が開放方向に移動してロックピン３４がドッグ１８から外れると、ロック部材３６により昇降部材３３、３３が下降不能にロックされ、以後、操作ハンドル３１は、回転不能にロックされて引戸２０の開閉操作に使用することができる。
【００４５】
なお、引戸２０は、各吊り部材２１のスペーサ２１ｈを取り外し、吊りブラケット２１ｃをスライド軸２１ｂの先端にまで移動させて戸枠１０から十分に離すことにより、後面側のガスケット２５を容易に点検、交換することができる。
【００４６】
以上の説明において、ロックピン３４は、引戸２０の全閉位置において、上枠１１上のドッグ１８に係合させるに代えて、戸先側の竪枠１２上の図示しない戸当りに突き当てることにより、ロック部材３６による昇降部材３３の下降禁止を解除するようにしてもよい。このときのロック部材３６は、たとえばロックピン３４と一体に連結し、ロックピン３４の後退により昇降部材３３との係合が外れるように構成すればよい。
【００４７】
また、開口部Ａの四周の係合リブ１９は、電磁シールドルームなどを構成するシールドパネルＢに形成するに代えて、戸枠１０に形成してもよく、戸枠１０をシールドパネルＢに連結する連結材Ｃに形成してもよい。
【００４８】
なお、引戸２０側の第１の係合部材としてのカムローラ３２、３２…は、引戸２０の全閉位置において、操作ハンドル３１、昇降部材３３、３３を介して一斉に下降させて戸枠１０側の第２の係合部材としての板カム１７、１７…に係合させるに代えて、一斉に上昇させて板カム１７、１７…に係合させることにより、引戸２０を後方に平行移動させてもよい。ただし、このときの各板カム１７は、カム溝１７ａの最深部が下部となるように設置方向を逆にするものとし、ロック部材３６は、引戸２０の全閉位置において、下降限にある昇降部材３３の上昇を許容するものとする。
【００４９】
また、引戸２０の戸先側、戸尻側の各昇降部材３３を上下に分割して操作ハンドル３１に個別に連結することにより、引戸２０の戸尻側、戸先側の各上部のカムローラ３２、３２と、各下部のカムローラ３２、３２とを互いに逆方向に駆動することも可能である。さらに、第１の係合部材としてのカムローラ３２、３２…を板カムとし、第２の係合部材としての板カム１７、１７…をカムローラとしてもよく、両者を楔形または台形の係合部材としてもよい。
【他の実施の形態】
【００５０】
引戸２０には、上下に屈曲可能なシャッタ部材４１を主要部材とする引戸用の床シャッタ装置４０を組み合わせることができる（図１７）。
【００５１】
シャッタ部材４１の一端は、引戸２０の戸先側の下端に連結されている。シャッタ部材４１は、下枠１４に沿って水平に延び、シャッタ部材４１の先端部は、戸先側の竪枠１２内に形成する収納部Ｓに引き込まれ、収納部Ｓの下部のガイドローラ４２を介して上向きに立ち上がり、シャッタ部材４１の先端には、ウェイト４４を吊下するワイヤ４３が連結されている。ただし、ワイヤ４３は、収納部Ｓの上部のガイドプーリ４３ａに掛けられている。なお、収納部Ｓの前面側は、図示しない着脱可能な蓋板を介して閉じるものとし、蓋板を外すことにより、収納部Ｓ内のシャッタ部材４１、ガイドローラ４２、ワイヤ４３、ガイドプーリ４３ａ、ウェイト４４を必要に応じて目視点検することができる。
【００５２】
シャッタ部材４１は、連結ピン４１ｃ、４１ｃ…を介して多数のスラット片４１ａ、４１ａ…、左右のリンク片４１ｂ、４１ｂ…を屈曲自在に連結するスラットチェーン形に構成されている（図１８、図１９）。ただし、スラット片４１ａ、４１ａ…は、下面に支持脚４１ａ1 を有するもの、有しないものが交互に連結されている（図２０）。シャッタ部材４１の引戸２０側には、長孔４１ｄ1 を有する連結片４１ｄが付設されており（図１８、図１９）、シャッタ部材４１は、長孔４１ｄ1 に挿通するボルト４１ｅを引戸２０側の連結ブラケット４１ｆにねじ込むことにより、引戸２０の戸先側の下端に対して前後に相対移動可能に連結されている。
【００５３】
シャッタ部材４１は、下枠１４内に設置する支持材４５、４６を介して移動自在に支持されている（図１９、図２１）。ただし、図２１（Ａ）、（Ｂ）は、それぞれ図１７のＸ5 −Ｘ5 線矢視相当拡大断面図、図１０相当の要部拡大断面図である。支持材４５、４６は、開口部Ａの全幅に亘って延びており、それぞれシャッタ部材４１の支持脚４１ａ1 、４１ａ1 …、一方のリンク片４１ｂ、４１ｂ…を支持することにより、シャッタ部材４１の上面を下枠１４の上面と一致させて水平に支承することができる。そこで、シャッタ部材４１は、下枠１４と、開口部ＡにおけるシールドパネルＢの上端面との間に上向きに開口する引戸２０の下方の床Ｆ側の溝Ｄを閉じることができる。ただし、溝Ｄは、引戸２０の下端部を収納するために設けられており、図２１において、床Ｆは、開口部Ａにおける下枠１４の上面、シールドパネルＢの上端面と同一レベルに図示されている。
【００５４】
シャッタ部材４１は、引戸２０を開放方向に駆動すると、収納部Ｓから引き出され、引戸２０の戸先側から戸先側の竪枠１２に至る開口部Ａの溝Ｄを閉じることができる。また、シャッタ部材４１は、引戸２０を閉鎖方向に駆動すると、ウェイト４４を介して収納部Ｓ内に上向きに屈曲しながら引き込まれ、収納部Ｓに収納することができる。なお、シャッタ部材４１は、全閉位置の引戸２０を後方に平行移動させて電磁シールドを完成させる際にも、何ら支障がない。引戸２０は、シャッタ部材４１の連結片４１ｄの長孔４１ｄ1 を介し、シャッタ部材４１に対して前後に相対移動可能であるからである。
【００５５】
以上の説明において、スラットチェーン形のシャッタ部材４１のリンク片４１ｂ、４１ｂ…は、必要な強度が得られる限り、薄い板材に代えてもよい。なお、引戸用の床シャッタ装置４０は、電磁シールド扉に限らず、広く一般的な吊戸形式、戸車形式、滑り形式などの引戸にも適用可能であり、このときのシャッタ部材４１は、引戸に対して前後に相対移動可能に連結する必要がない。
【図面の簡単な説明】
【００５６】
【図１】全体構成正面図（１）
【図２】全体構成正面図（２）
【図３】図２のＸ1 −Ｘ1 線矢視相当拡大断面図
【図４】要部拡大正面図（１）
【図５】要部拡大横断面図（１）
【図６】要部拡大正面図（２）
【図７】要部拡大横断面図（２）
【図８】図２のＸ2 −Ｘ2 線矢視相当拡大断面図
【図９】要部拡大横断面図（３）
【図１０】図２のＸ3 −Ｘ3 線矢視相当拡大断面図
【図１１】図３相当の動作説明図
【図１２】図８相当の動作説明図
【図１３】図５相当の動作説明図
【図１４】図７相当の動作説明図
【図１５】図９相当の動作説明図
【図１６】図１０相当の動作説明図
【図１７】他の実施の形態を示す図１相当図
【図１８】図１７の要部拡大平面図
【図１９】図１８のＸ4 矢視相当図
【図２０】シャッタ部材の要部分解斜視図
【図２１】図１７の要部構成説明図
【符号の説明】
【００５７】
Ｆ…床
Ｄ…溝
Ａ…開口部
Ｓ…収納部
１０…戸枠
１２…竪枠
１９…係合リブ
２０…引戸
２１ｄ、２４ｄ…ばね
２５…ガスケット
３１…操作ハンドル
３６…ロック部材
４０…床シャッタ装置
４１…シャッタ部材
４３…ワイヤ
４３ａ…ガイドプーリ
４４…ウェイト
特許出願人          株式会社  富士精工本社
代理人  弁理士              松  田  忠  秋
【図１】
2008133711.tif 000003
【図２】
2008133711.tif 000004
【図３】
2008133711.tif 000005
【図４】
2008133711.tif 000006
【図５】
2008133711.tif 000007
【図６】
2008133711.tif 000008
【図７】
2008133711.tif 000009
【図８】
2008133711.tif 000010
【図９】
2008133711.tif 000011
【図１０】
2008133711.tif 000012
【図１１】
2008133711.tif 000013
【図１２】
2008133711.tif 000014
【図１３】
2008133711.tif 000015
【図１４】
2008133711.tif 000016
【図１５】
2008133711.tif 000017
【図１６】
2008133711.tif 000018
【図１７】
2008133711.tif 000019
【図１８】
2008133711.tif 000020
【図１９】
2008133711.tif 000021
【図２０】
2008133711.tif 000022
【図２１】
2008133711.tif 000023